(57)【要約】【課題】本発明は、大量のファイルから画像ファイルをユーザの行動単位で選出して処理することができる画像データ処理装置を提供する。【解決手段】ＭＦＰ４が、撮影機器２からファイル情報リストを取得し（Ｓ３）、従業員管理サーバ３から従業員の行動の日時又は場所等を含むスケジュール情報を取得し（Ｓ５）、前記スケジュール情報により示される日時又は場所に相当する日時又は場所を含むファイル情報があるか否かを判定し（Ｓ７、Ｓ８）、ある場合には（Ｓ７：ＹＥＳ、Ｓ８：ＹＥＳ）、ファイル情報により示されるファイルの画像データを取得して印刷等の処理を行う（Ｓ９）。【選択図】図５
2010283457.tif 000002
【特許請求の範囲】
【請求項１】
利用者のスケジュールに関する情報を取得する第１の取得手段と、
複数の撮影画像と、前記複数の撮影画像それぞれの撮影条件を示す属性情報とを記憶している外部装置から前記複数の属性情報を取得する第２の取得手段と、
前記スケジュールに関する情報と前記取得した各属性情報とを照合し、照合結果に基づき前記スケジュールに関連ある属性情報を抽出する抽出手段と、
抽出された属性情報に係る撮影画像のみを前記外部装置から読み出す読出手段と、
読み出した撮影画像を印刷し又は記憶する処理手段と
を備えることを特徴とする画像データ処理装置。
【請求項２】
前記スケジュールに関する情報は、利用者の行動の日時及び／又は場所を示すイベント情報を複数含み、
前記属性情報は、撮影場所及び／又は撮影日時を含み、
前記抽出手段は、前記抽出として、前記各属性情報それぞれについて、複数のイベント情報それぞれにより示される日時及び／又は場所に相当する撮影日時及び／又は撮影場所を含むか否かを判定し、含むと判定された属性情報を抽出する
ことを特徴とする請求項１記載の画像データ処理装置。
【請求項３】
前記抽出手段は、
前記複数のイベント情報をディスプレイに表示させるスケジュール表示部と、
利用者による前記表示された複数のイベント情報からの１以上のイベント情報の選択を受け付ける選択受付部と、
前記選択されたイベント情報により示される日時及び場所に相当する日時情報及び場所情報を含む属性情報を抽出する抽出部とを含む
ことを特徴とする請求項２記載の画像データ処理装置。
【請求項４】
前記抽出手段は、更に、前記選択受付部による選択の受け付け後に、利用者による印刷指示を受け付ける印刷指示受付部を備え、
前記読出手段は、前記印刷指示受付部が前記印刷指示を受け付けた場合に、抽出された属性情報に係る撮影画像のみを前記外部装置から読み出し、
前記処理手段により読み出した撮影画像を印刷する
ことを特徴とする請求項３記載の画像データ処理装置。
【請求項５】
前記処理手段は、前記撮影画像を印刷する場合に、前記撮影画像に加え前記撮影画像に係る属性情報を同一の印刷用媒体に印刷する
ことを特徴とする請求項４記載の画像データ処理装置。
【請求項６】
前記イベント情報は、前記行動に関連する関連情報を含み、
前記処理手段は、前記撮影画像と前記属性情報とを印刷する場合に、前記撮影画像と前記属性情報と共に前記関連情報を前記同一の印刷用媒体に印刷する
ことを特徴とする請求項５記載の画像データ処理装置。
【請求項７】
前記関連情報は、イベント名情報、出席者情報、チームのメンバー情報の少なくとも１つを含む
ことを特徴とする請求項６記載の画像データ処理装置。
【請求項８】
前記処理手段は、前記読み出した撮影画像をイベント名情報毎に区分して記憶する
ことを特徴とする請求項７記載の画像データ処理装置。
【請求項９】
前記イベント情報には、予めデータの送信先情報が対応づけられており、
前記処理手段は、更に、前記読み出した撮影画像を、前記送信先情報が示す送信先に送信する
ことを特徴とする請求項２乃至８のいずれか１項に記載の画像データ処理装置。
【請求項１０】
前記スケジュールに関する情報は、利用者の行動の日時を含むイベント情報を複数含み、
前記属性情報は、撮影日時を含み、
前記抽出手段は、前記抽出として、前記各属性情報それぞれについて、複数の前記各イベント情報により示される日時に相当する撮影日時を含むか否かを判定し、含むと判定された属性情報を抽出する
ことを特徴とする請求項１記載の画像データ処理装置。
【請求項１１】
前記第１の取得手段は、外部のスケジュール管理装置から前記スケジュールに関する情報を取得する
ことを特徴とする請求項１記載の画像データ処理装置。
【請求項１２】
前記外部のスケジュール管理装置は、ネットワーク上で利用者のスケジュールを管理するサーバである
ことを特徴とする請求項１１記載の画像データ処理装置。
【請求項１３】
前記外部装置は、撮影機器である
ことを特徴とする請求項１記載の画像データ処理装置。
【請求項１４】
前記画像データ処理装置は、ＭＦＰ（Ｍｕｌｔｉ  Ｆｕｎｃｔｉｏｎ  Ｐｅｒｉｐｈｅｒａｌ）である
ことを特徴とする請求項１記載の画像データ処理装置。
【請求項１５】
画像データ処理装置に用いられるコンピュータによって実行可能な画像データ処理プログラムであって、
利用者のスケジュールに関する情報を取得する第１の取得ステップと、
複数の撮影画像と、前記複数の撮影画像それぞれの撮影条件を示す属性情報とを記憶している外部装置から前記複数の属性情報を取得する第２の取得ステップと、
前記スケジュールに関する情報と前記取得した各属性情報とを照合し、照合結果に基づき前記スケジュールに関連ある属性情報を抽出する抽出ステップと、
抽出された属性情報に係る撮影画像のみを前記外部装置から読み出す読出ステップと、
読み出した撮影画像を印刷し又は記憶する処理ステップと
をコンピュータに実行させることを特徴とする画像データ処理プログラム。
【発明の詳細な説明】
【技術分野】
【０００１】
本発明は、大量の画像データについて印刷等の処理を行う画像データ処理装置に関し、特に、処理対象を絞り込む技術に関する。
【背景技術】
【０００２】
一般に、デジタルカメラの撮影画像に係る画像データは、撮影日時や、ファイル名等の属性情報が付されファイルとして内蔵メモリやメモリカード等の記録媒体に記憶される。記録媒体は大容量化しており、一旦記録したファイルの消去も容易であることから、デジタルカメラのユーザは次々に撮影を行うことが考えられる。そうすると、記録媒体中には大量のファイルが記録された状態となる。また、デジタルカメラの多くは動画撮影機能を有しているので、記録媒体中には大量の画像データや、動画データが混在した状態となりうる。この後に、例えば画像ファイルを選出して印刷しようとする場合、ユーザは大量のファイル中からファイル名等を手がかりとして画像を選出して印刷する必要があり、ユーザにとって大変な手間である。
【０００３】
大量のファイルから処理対象を絞り込む技術として、特許文献１には、記録媒体に記録されたファイルに係る拡張子から印刷可能な画像ファイルの有無を判断し、印刷可能なファイルを印刷用に画像伸張処理をして印刷する技術が開示されている。これにより、大量のファイルから特定の拡張子を有するファイルを選別するためのユーザの手間を減らすことができる。
【先行技術文献】
【特許文献】
【０００４】
【特許文献１】特開平１１−３２１０２９号公報
【発明の概要】
【発明が解決しようとする課題】
【０００５】
しかしながら、特許文献１に開示された技術によれば、処理の対象となるファイルを特定の拡張子を有するものに絞り込むことはできるが、絞り込まれた画像のうちでも会議中に撮影されたものというように、ユーザの特定の行動中に撮影されたものに絞り込むことはできないという問題がある。
例えば、ユーザが、社用のデジタルカメラを業務用と私用の両方で使用するような場合、使用の結果、業務において撮影された画像と、私的に撮影された画像とが記録媒体に混在することになる。印刷等の処理を行う対象を業務で撮影した画像のみに絞り込むには、ユーザが大量のファイルの中から、ファイル１つ１つについて撮影日時を確認するなど業務に係る画像を検索する必要が生じる。会議が日を変えて何度も行われ、会議と会議の間に私的な使用がなされているような場合は、業務に係る撮影日時と、私用に係る撮影日時とが交互に並ぶことになり、検索が複雑化しユーザの手間は更に増える。
【０００６】
上記の課題に鑑み、本発明は、大量のファイルから画像ファイルをユーザの行動単位で選出して処理することができる画像データ処理装置を提供することを目的とする。
【課題を解決するための手段】
【０００７】
上記課題を解決するために、本発明の画像データ処理装置は、利用者のスケジュールに関する情報を取得する第１の取得手段と、複数の撮影画像と、前記複数の撮影画像それぞれの撮影条件を示す属性情報とを記憶している外部装置から前記複数の属性情報を取得する第２の取得手段と、前記スケジュールに関する情報と前記取得した各属性情報とを照合し、照合結果に基づき前記スケジュールに関連ある属性情報を抽出する抽出手段と、抽出された属性情報に係る撮影画像のみを前記外部装置から読み出す読出手段と、読み出した撮影画像を印刷し又は記憶する処理手段とを備える。
【発明の効果】
【０００８】
本発明の画像データ処理装置は、上述の構成を備えることにより、外部装置に記憶される大量の撮影画像のうち、利用者の特定の行動中に撮影されたもののみを読み込んで印刷又は記憶することができる。これにより、例えば、画像データ処理装置が、業務用として用いられる場合に業務スケジュール管理外の利用者の行動中に撮影された撮影画像を処理しないことで、利用者による当該装置の私的使用を避けることができる。また、データ処理装置が撮影画像を記憶する場合において、業務中に撮影された撮影画像のみを外部装置から読み出して記憶するので、業務外で撮影された撮影画像を記憶することによる記憶領域の圧迫を避けることができる。
【０００９】
また、前記スケジュールに関する情報は、利用者の行動の日時及び／又は場所を示すイベント情報を複数含み、前記属性情報は、撮影場所及び／又は撮影日時を含み、前記抽出手段は、前記抽出として、前記各属性情報それぞれについて、複数のイベント情報それぞれにより示される日時及び／又は場所に相当する撮影日時及び／又は撮影場所を含むか否かを判定し、含むと判定された属性情報を抽出することとしてもよい。
【００１０】
また、前記スケジュールに関する情報は、利用者の行動の日時を含むイベント情報を複数含み、前記属性情報は、撮影日時を含み、前記抽出手段は、前記抽出として、前記各属性情報それぞれについて、複数の前記各イベント情報により示される日時に相当する撮影日時を含むか否かを判定し、含むと判定された属性情報を抽出することとしてもよい。
この構成によれば、複数の撮影画像のうち処理対象をスケジュール管理されたイベント関連のものにユーザ操作を要さずに絞り込むことができる。
【００１１】
また、前記抽出手段は、前記複数のイベント情報をディスプレイに表示させるスケジュール表示部と、利用者による前記表示された複数のイベント情報からの１以上のイベント情報の選択を受け付ける選択受付部と、前記選択されたイベント情報により示される日時及び場所に相当する日時情報及び場所情報を含む属性情報を抽出する抽出部とを含むこととしてもよい。
【００１２】
この構成によれば、複数の撮影画像のうち処理対象を、特定のイベント関連のものに簡易なユーザ操作で絞り込むことができる。
また、前記抽出手段は、更に、前記選択受付部による選択の受け付け後に、利用者による印刷指示を受け付ける印刷指示受付部を備え、前記読出手段は、前記印刷指示受付部が前記印刷指示を受け付けた場合に、抽出された属性情報に係る撮影画像のみを前記外部装置から読み出し、前記処理手段により読み出した撮影画像を印刷することとしてもよい。
【００１３】
この構成によれば、撮影画像を読み出して印刷することの当否について利用者の意思を確認することができる。
また、前記処理手段は、前記撮影画像を印刷する場合に、前記撮影画像に加え前記撮影画像に係る属性情報を同一の印刷用媒体に印刷することとしてもよい。
また、前記イベント情報は、前記行動に関連する関連情報を含み、前記処理手段は、前記撮影画像と前記属性情報とを印刷する場合に、前記撮影画像と前記属性情報と共に前記関連情報を前記同一の印刷用媒体に印刷することとしてもよい。
【００１４】
この構成によれば、利用者に、撮影画像に係る属性情報、イベント情報を容易に把握させることができる。
また、前記関連情報は、イベント名情報、出席者情報、チームのメンバー情報の少なくとも１つを含むこととしてもよい。
この構成によれば、利用者に、撮影画像に係るイベント名情報、出席者情報、チームのメンバー情報の少なくとも１つを容易に把握させることができる。
【００１５】
また、前記処理手段は、前記読み出した撮影画像をイベント情報毎に区分して記憶することとしてもよい。
この構成によれば、撮影画像をイベント情報毎に区分して記憶するので、利用者はイベントに関連する撮影画像がいずれであるかを容易に把握できる。
また、前記イベント情報には、予めデータの送信先情報が対応づけられており、前記処理手段は、更に、前記読み出した撮影画像を、前記送信先情報が示す送信先に送信することとしてもよい。
【００１６】
この構成によれば、イベントに関連する撮影画像をイベントに関連する送信先に送信する利用者の手間を省くことができる。
また、前記第１の取得手段は、外部のスケジュール管理装置から前記スケジュールに関する情報を取得することとしてもよい。
また、前記外部のスケジュール管理装置は、ネットワーク上で利用者のスケジュールを管理するサーバであることとしてもよい。
【００１７】
この構成によれば、大量の撮影画像から特定の撮影画像を抽出する条件を、外部のスケジュール管理装置で管理することができる。
また、前記外部装置は、撮影機器であることとしてもよい。
この構成によれば、撮影機器により撮影され記憶される大量の撮影画像のうち、利用者の特定の行動中に撮影されたもののみを読み込んで印刷又は記憶することができる。
【００１８】
また、前記画像データ処理装置は、ＭＦＰ（Ｍｕｌｔｉ  Ｆｕｎｃｔｉｏｎ  Ｐｅｒｉｐｈｅｒａｌ）であることとしてもよい。
この構成によれば、スケジュールに係る画像データの印刷、記憶に係る機能部を、ＦＡＸ送信など他の機能部と一体化し、各機能を集中管理することができる。
本発明の画像データ処理プログラムは、画像データ処理装置に用いられるコンピュータによって実行可能な画像データ処理プログラムであって、利用者のスケジュールに関する情報を取得する第１の取得ステップと、複数の撮影画像と、前記複数の撮影画像それぞれの撮影条件を示す属性情報とを記憶している外部装置から前記複数の属性情報を取得する第２の取得ステップと、前記スケジュールに関する情報と前記取得した各属性情報とを照合し、照合結果に基づきスケジュールに関連ある属性情報を抽出する抽出ステップと、抽出された属性情報に係る撮影画像のみを前記外部装置から読み出す読出ステップと、読み出した撮影画像を印刷し又は記憶する処理ステップとをコンピュータに実行させる。
【００１９】
この構成によれば、外部装置に記憶される大量の撮影画像のうち、利用者の特定の行動中に撮影されたもののみを読み込んで印刷又は記憶することができる。これにより、例えば、画像データ処理装置が、業務用として用いられる場合に業務スケジュール管理外の利用者の行動中に撮影された撮影画像を処理しないことで、利用者による当該装置の私的使用を避けることができる。また、データ処理装置が撮影画像を記憶する場合において、業務中に撮影された撮影画像のみを外部装置から読み出して記憶するので、業務外で撮影された撮影画像を記憶することによる記憶領域の圧迫を避けることができる。
【図面の簡単な説明】
【００２０】
【図１】本発明の一実施の形態における画像データ処理システム１の構成を示す図である。
【図２】ファイル情報リストの一例を示す図である。
【図３】従業員管理サーバ３が保持している従業員Ａに係るスケジュールデータベースの一例を示している。
【図４】ＭＦＰ４の構成を示すブロック図である。
【図５】画像データ処理システムによる印刷処理について示すフローチャートである。
【図６】ディスプレイに表示されたスケジュール情報を示す図である。
【図７】画像データ処理を示すフローチャートである。
【図８】ファイル情報を付加して画像データを印刷した場合の印刷結果を示す図である。
【図９】ＭＦＰ全体の構成を示す断面概略図である。
【発明を実施するための形態】
【００２１】
１．第１の実施形態
本発明の一実施形態に係る画像データ処理システム１は、デジタルカメラなどの撮影機器において多数撮影された画像から、業務において撮影されたものについては印刷等の処理をし、私的な使用等により業務外で撮影されたものについては印刷等を制限するものである。
１．１．構成
図１は、本発明の一実施の形態における画像データ処理システム１の構成を示す図である。
【００２２】
画像データ処理システム１は、ＭＦＰ（Ｍｕｌｔｉ  Ｆｕｎｃｔｉｏｎ  Ｐｅｒｉｐｈｅｒａｌ）４と、ＭＦＰ４にＵＳＢ接続する撮影機器２と、ＭＦＰ４とネットワーク５を介して通信する従業員管理サーバ３とを含んで構成される。
ネットワーク５は、インターネット、専用線などで構成される。
撮影機器２は、具体的には、ＧＰＳ（Ｇｌｏｂａｌ  Ｐｏｓｉｔｉｏｎｉｎｇ  Ｓｙｓｔｅｍ）機能を備えたデジタルカメラである。撮影機器２は、画像を撮影した場合に、ＧＰＳ機能によって現在位置の緯度、経度を示す場所情報を取得する。そして、撮影した画像に係る画像データに、画像データに係る属性情報としてファイル名、撮影した日時を示す日時情報及び撮影場所を示す場所情報（以下、ファイル情報という。）を生成して付し、１画像１ファイルとして内蔵メモリ又はメモリカードなどの記録メディア（以下、単にメモリという。）に記録する。ファイル名は、ｉｍａｇｅ０１、ｉｍｅｇａ０２のように撮影順に応じた名前が付されるものとする。
【００２３】
撮影機器２は、ＭＦＰ４から要求を受信して、図２に示すような撮影機器２のメモリに記録されているファイルに係るファイル情報のリスト（以下、ファイル情報リストという。）を生成し、ＭＦＰ４に対し送信する。ファイル情報リストは、画像データを含んでおらず、通常は数キロバイト程度の大きさである。
図２は、ファイル情報リストの一例を示す図である。
【００２４】
例えば、ファイル情報リストの先頭のファイル情報は、撮影機器２の内蔵メモリに「ｉｍａｇｅ０１」というファイル名のファイルが記録され、そのファイルには、Ｂ会議室で、２００９年１月２２日の１３時３３分に撮影された画像データが格納されていることを示している。なお、図２において、場所情報として単に「Ｂ会議室」と記載しているが、実際は上述のようにＢ会議室の経度、緯度を示す情報である。なお、本実施の形態では、撮影機器２は、従業員Ａにより使用されているものとする。
【００２５】
従業員管理サーバ３は、従業員の行き先を管理する行き先管理システム、従業員の勤怠を管理する勤怠管理システム、社内の各部屋への入退室を管理する入退室システム（図示せず）等の従業員のスケジュールに関連するシステムと連携し、これらの各システムから情報を取得して従業員毎のスケジュール情報としてのスケジュールデータベース（以下、スケジュールＤＢという。）を生成して保持し、スケジュール管理を行うサーバ装置である。
【００２６】
図３は、従業員管理サーバ３が保持している従業員Ａに係るスケジュールＤＢの一例を示している。
スケジュールＤＢは、時間情報、場所情報、イベント名情報、出席者情報又はイベントを行うチームのメンバー情報の各情報（関連情報）からなるイベント情報のリストである。例えば、スケジュールＤＢの先頭のイベント情報は、従業員Ａが、１／２２の１０：００〜１２：００に、居室にて通常業務を行うことを示している。スケジュールＤＢの上から２番目の欄のイベント情報は、従業員Ａが、１／２２の１３：００〜１５：００に、Ｂ会議室において、出席者が従業員Ａ、Ｂ、Ｃ、Ｄ、Ｅである企画会議に参加することを示している。
【００２７】
従業員管理サーバ３は、ＭＦＰ４から、対象従業員、時間情報をパラメータとするスケジュール要求を受信し、スケジュールＤＢから、パラメータ中の時間情報に適合するイベント情報を抽出し、抽出したイベント情報のリストを、スケジュール情報としてＭＦＰ４に送信する。
ＭＦＰ４は、撮影機器２からファイル情報リストを取得し、従業員管理サーバ３からスケジュール情報を取得して、取得したファイル情報リスト、スケジュール情報を用いて、所定条件（例えば業務に関するもの）を満たす画像データを選出して印刷等の処理を行う装置である。
【００２８】
図４は、ＭＦＰ４の構成を示すブロック図である。
ＭＦＰ４は、図１に示すようにＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＨＤＤ１４、タッチパネル１５、プリント処理部１６及びネットワークインターフェイス１７とを含んで構成される。
【００２９】
ＣＰＵ１１は、ＲＯＭ１３に記憶されたプログラムをＲＡＭ１２に読み出して実行するプロセッサであり、ＭＦＰ４の全体制御、タッチパネル１５に表示するＧＵＩ（Ｇｒａｐｈｉｃａｌ  Ｕｓｅｒ  Ｉｎｔｅｒｆａｃｅ）の生成、表示制御を行う。
ＲＯＭ１３は、不揮発性のメモリであり、ＣＰＵ１１を動作させるためのプログラムとして、ＯＳ（Ｏｐｅｒａｔｉｎｇ  Ｓｙｓｔｅｍ）、認証プログラム、画像表示プログラムなどのアプリケーション等を記憶している。
【００３０】
なお、以降の説明において、「画像表示プログラムがＧＵＩ（Ｇｒａｐｈｉｃａｌ  Ｕｓｅｒ  Ｉｎｔｅｒｆａｃｅ）をタッチパネル１５に表示させる」というようにプログラムを動作主体として記載することがあるが、これは記載簡潔化のためであり、「ＣＰＵ１１が画像表示プログラムを実行し、画像表示プログラムが動作することでＧＵＩが生成され、生成されたＧＵＩをタッチパネル１５に表示させる」ことを意味している。
【００３１】
画像表示プログラムは、タッチパネル１５に表示させるＧＵＩ等を生成するプログラムであり、レンダリングエンジン等を含む。レンダリングエンジンは、画像の拡大、縮小、一部分の抜き出し、結合などの画像処理を行うモジュールである。
ＨＤＤ１４は、撮影機器２から取得する画像データなどのデータを記憶する大容量記憶装置である。
【００３２】
タッチパネル１５は、感圧式のタッチパネル部、液晶ディスプレイ部を含んで構成される。タッチパネル部は、ユーザにより触れられた位置の座標を取得し、画像表示プログラムに通知する。画像表示プログラムは、通知された座標と、タッチパネル部に表示しているＧＵＩとを照合して、ユーザがいずれのユーザ指示を行ったかを特定する。そして、特定したユーザ指示を、このユーザ指示に対応するプログラムやプリント処理部等の他の処理部に通知する。
【００３３】
プリント処理部１６は、画像データ等の印刷を行うプリンタ装置である。
ネットワークインターフェイス部１７は、ネットワーク５を介して従業員管理サーバ３と通信する。
外部機器接続部１８は、撮影機器２とＵＳＢ接続し、撮影機器２からファイル情報リスト、ファイル等を取得する。
【００３４】
ここで、ＭＦＰ４の構成について、プリント処理部１６を中心とした補足説明する。
図９は、ＭＦＰ４全体の構成を示す断面概略図である。
同図に示すように、このＭＦＰ４は、画像プロセス部５１、給紙部５２、定着部５３および制御部６０を備えている。ここで、画像プロセス部５１、給紙部５２、定着部５３が図４におけるプリント処理部１６に相当し、制御部６０が、図４におけるＣＰＵ１１、ＲＡＭ１２、ＲＯＭ１３、ＨＤＤ１４に相当する。図４におけるタッチパネル１５、ネットワークインターフェイス１７、外部機器接続部１８については、図９には図示していない。
【００３５】
ＭＦＰ４は、制御部６０からの印刷指示を受け付けると、その指示に基づいてイエロー、マゼンタ、シアンおよびブラック色からなるトナー像を形成し、これらを多重転写してフルカラーの画像形成を実行する。以下、イエロー、マゼンタ、シアン、ブラックの各再現色をＹ、Ｍ、Ｃ、Ｋと表し、各再現色に関連する構成部分の番号にこのＹ、Ｍ、Ｃ、Ｋを添字として付加する。
【００３６】
画像プロセス部５１は、Ｙ〜Ｋ色のそれぞれに対応する作像部５１Ｙ、５１Ｍ、５１Ｃ、５１Ｋ、光学部５４、中間転写ベルト５５などを備えている。
作像部５１Ｙは、感光体ドラム６１Ｙ、その周囲に配設された帯電器６２Ｙ、現像器６３Ｙ、一次転写ローラ６４Ｙ、感光体ドラム６１Ｙを清掃するためのクリーナ６５Ｙなどを備えており、感光体ドラム６１Ｙ上にＹ色のトナー像を作像する。他の作像部５１Ｍ〜５１Ｋについても、作像部５１Ｙと同様の構成になっており、同図では符号を省略している。
【００３７】
中間転写ベルト５５は、無端状のベルトであり、駆動ローラ５６と従動ローラ５７に張架されて矢印Ａ方向に回転駆動される。
光学部５４は、レーザダイオードなどの発光素子を備え、制御部６０からの駆動信号によりＹ〜Ｋ色の画像形成のためのレーザ光Ｌを発し、感光体ドラム５１Ｙ〜５１Ｋを露光走査させる。
【００３８】
この露光走査により、帯電器６２Ｙ〜６２Ｋにより帯電された感光体ドラム６１Ｙ〜６１Ｋ上に静電潜像が形成される。各静電潜像は、現像器６３Ｙ〜６３Ｋにより現像されて感光体ドラム６１Ｙ〜６１Ｋ上にＹ〜Ｋ色のトナー像が、中間転写ベルト５５上の同じ位置に重ね合わせて一次転写されるようにタイミングをずらして実行される。
一次転写ローラ６４Ｙ〜６４Ｋにより作用する静電力により中間転写ベルト５５上に各色のトナー像が順次転写されフルカラーのトナー像が形成され、さらに二次転写位置７６方向に移動する。
【００３９】
一方、給紙部５２は、記録シートＳを収容する給紙カセット７１と、給紙カセット７１内の記録シートＳを搬送路７３上に１枚ずつ繰り出す繰り出しローラ７２と、繰り出された記録シートＳを二次転写位置７６に送り出すタイミングをとるためのタイミングローラ対７４などを備えており、中間転写ベルト５５上のトナー像の移動タイミングに合わせて給紙部５２から記録シートＳを二次転写位置に給送し、二次転写ローラ７５の作用により中間転写ベルト５５上のトナー像が一括して記録シートＳ上に二次転写される。
【００４０】
二次転写位置７６を通過した記録シートＳは、定着部５３に搬送され、記録シートＳ上のトナー像（未定着画像）が、定着部５３における加熱・加圧により記録シートＳに定着された後、排出ローラ対７７を介して排出トレイ７８上に排出される。
１．２．動作
以下、画像データ処理システム１の動作について図５を用いて説明する。
【００４１】
ＭＦＰ４は、まずユーザ認証を行う（ステップＳ１）。
具体的には、従業員Ａは、ＭＦＰ４のタッチパネル１５に表示されるソフトウェアキーボード等を用いてパスワードを入力する。
ＭＦＰ４は、ＨＤＤ１４に従業員Ａのパスワードが予め記憶しており、認証プログラムが、ＨＤＤ１４に記憶されているパスワードと、従業員Ａが入力したパスワードとが一致するか否かを判断し（ステップＳ２）、一致しなかった場合（ステップＳ２：ＮＯ）は、処理を終了する。一致した場合（ステップＳ２：ＹＥＳ）、認証プログラムは、画像表示プログラムに対し、従業員Ａに係る認証が成功したことを通知し、撮影機器２の接続を促すメッセージをタッチパネル１５に表示する。
【００４２】
従業員Ａは、撮影機器２をＭＦＰ４の外部装置接続部１８にＵＳＢ接続する（ステップＳ３）。外部装置接続部１８は、撮影機器２と接続されたことを検出すると、画像表示プログラムに対しその旨通知する。
画像表示プログラムは、外部装置接続部１８を介して撮影機器２に対しファイル情報リストを送信するよう要求する（ステップＳ４）。撮影機器２は、ファイル情報リストの送信要求を取得すると、ファイル情報リストを生成しＭＦＰ４に送信する。
【００４３】
ＭＦＰ４における画像表示プログラムは、外部装置接続部１８を介してファイル情報リストを受信する。
次に、画像表示プログラムは、対象従業員を示すパラメータとして、ステップＳ１にてユーザ認証した従業員である従業員Ａを指定したスケジュール要求をネットワークインターフェイス部１７を介して従業員管理サーバ３に送信する（ステップＳ５）。
【００４４】
従業員管理サーバ３は、スケジュール要求を受信し、スケジュール要求に係るパラメータに応じたスケジュール情報を生成しＭＦＰ４に送信する。
上述の例では、従業員管理サーバ３は、従業員Ａのイベント情報からスケジュール情報を生成することになる。また、受け取ったスケジュール要求において、時間情報のパラメータに具体的な日時が指定されていない場合、全ての日付、時間のイベント情報を対象としたり、現在日時から１週間以内のイベント情報を対象にするなど、予め定めておいた条件に応じたスケジュール情報を生成してＭＦＰ４に送信するものとする。
【００４５】
ＭＦＰ４における画像表示プログラムは、ネットワークインターフェイス部１７を介してスケジュール情報を受信する。
画像表示プログラムは、ファイル情報リスト中のファイル情報を１つ読み出す（ステップＳ６）。
そして、画像表示プログラムは、スケジュール情報中のイベント情報のうち時間情報で示される時間に、読み出したファイル情報中の日時情報で示される日時を含むものを検索する（ステップＳ７）。検索により発見できなかった場合（ステップＳ７：ＮＯ）、後述するステップＳ１０に移行し、発見された場合（ステップＳ７：ＹＥＳ）、ステップＳ８に進む。
【００４６】
例えば、読み出したファイル情報が「ｉｍａｇｅ０１」に係るものである場合、その日時情報は「０９／１／２２  １３：３３」である。
図３のスケジュール情報であれば、上から２番目のイベント情報の時間情報が「０９／１／２２  １３：００−１５：００」であり、日時情報「０９／１／２２  １３：３３」を含んでいるので、画像表示プログラムは、この日時情報を検索結果として発見することになる。
【００４７】
次に、ステップＳ８では、ステップＳ７で発見したイベント情報に係る場所情報が、ファイル情報の場所情報と一致するか否かを判定し、一致しなかった場合（ステップＳ８：ＮＯ）、ステップＳ１０に移行する。一致した場合（ステップＳ８：ＹＥＳ）、そのファイル情報に係る画像データを、撮影機器２から取得して印刷する（ステップＳ９）。
ここで、画像表示プログラムは、図８（ａ）に示すように、画像の印刷に加え、イベント情報から取得できる撮影者、撮影時刻、撮影場所、イベント名等の情報を併せてプリント処理部１７に印刷させてもよい。また、画像表示プログラムは、従業者Ａの所属部署などイベント情報とは関連無いもののＭＦＰ４が従業員管理サーバ３等から取得し得る情報を取得し、併せてプリント処理部１７に印刷させることとしてもよい。
【００４８】
図８は、画像に加え、撮影者としてユーザ認証の実行者「従業員Ａ」、撮影時刻として日時情報に係る「０９／１／２３  １６：２３」、撮影場所として場所情報「Ａコーナー」、イベント名「定例ミーティング」、出席者「Ａ，Ｅ，Ｆ，Ｇ，Ｈ，Ｉ，Ｊ」、従業員Ａの所属部署を併せて印刷した場合の例を示している。
ステップＳ１０では、ファイル情報リストにおいて選出されていないファイル情報があれば（ステップＳ１０：ＹＥＳ）、次のファイル情報を選出して（ステップＳ１１）、ステップＳ７に移行し、全てのファイル情報が選出済みであれば（ステップＳ１０：ＮＯ）、処理を終了する。
【００４９】
以上により、ＭＦＰ４は、従業員管理サーバ３において例えば管理されているイベント情報に対応しているファイルの画像データのみを印刷することができ、管理されていない時間、場所等において撮影された画像等については印刷を防止することができる。
２．第２の実施形態
第１の実施形態では、ＭＦＰ４が、撮影機器２から取得したファイル情報リストと、従業員管理サーバ３から取得したスケジュール情報とを照合し、スケジュール情報に含まれる全イベント情報のそれぞれに対応する画像データを全て印刷等処理の対象としていた。
【００５０】
これに対し、本実施形態では、ＭＦＰ４は、取得したスケジュール情報に含まれるイベント情報をＧＵＩとしてタッチパネル１５に表示する。そしてユーザは、ＧＵＩ表示されたイベント情報のうち所望のものを選択する。ＭＦＰ４は、選択されたイベント情報に対応するファイルのみ撮影機器２から取り込み、取り込んだファイルに対してのみ印刷等の処理を行う。これにより、ユーザは、所望するイベント情報に関連する画像のみ処理したい場合、撮影機器２内の全てのファイルを１つ１つ確認して、所望のイベント情報に関連する画像をより分けていくような手間の掛かる操作をする必要はなくなり、ＧＵＩに表示されたスケジュール情報から特定のイベント情報を選択するという簡単な操作だけで、選択したイベント情報に関連する画像を撮影機器２からＭＦＰ４に取り込み、印刷等の処理をすることができる。
【００５１】
構成については、第１の実施形態と同一であり、画像表示プログラムの動作内容、タッチパネル１５に表示させるＧＵＩが異なる。
以下、第１の実施形態との相違点を中心に、本実施の形態に係る画像データ処理システム１の動作について、図６、図７を用いて説明する。
図７におけるステップＳ１〜Ｓ５は、図５におけるステップＳ１〜Ｓ５と同じである。
【００５２】
ＭＦＰ４における画像表示プログラムは、図６のような、取得したスケジュール情報に係るイベント情報を一覧表示するＧＵＩを生成し、タッチパネル１５に表示させる（ステップＳ５１）。
従業員Ａは、一覧表示されたイベント情報のうち、所望するものをタッチパネル１５に触れて選択した後、図６中の実行ボタン２１に触れて処理の実行を指示する（ステップＳ５２）。
【００５３】
例えば、従業員Ａは、１月２３日の列の「１５：００〜１７：００  定例ミーティング」というイベント情報を選択し、実行ボタン２１に触れる。なお、ステップＳ５２において、従業員Ａは、イベント情報を複数選択してから実行ボタン２１に触れてもよい。
画像表示プログラムは、ステップＳ５２において選択されたイベント情報のうち１つを選出する（ステップＳ５３）。
【００５４】
ＭＦＰ４は、ファイル情報リスト中のファイル情報のうち、ファイル情報に係る日時情報が示す日時が、選択されたイベント情報に係る時間情報が示す時間内であるものを検索し（ステップＳ５４）、発見しなかった場合（ステップＳ５４：ＮＯ）、後述するステップＳ５７に移行する。
発見した場合（ステップＳ５４：ＹＥＳ）、発見したファイル情報の場所情報と、イベント情報の場所情報とが一致するか否かを判定する。
【００５５】
一致しなかった場合（ステップＳ５５：ＮＯ）、ステップＳ５７に移行し、一致した場合（ステップＳ５５：ＹＥＳ）、発見されたファイル情報に係るファイルを撮影機器２から取り込む（ステップＳ５６）。例えば、ステップＳ５２において、従業員Ａが、タッチパネル１５に表示されたＧＵＩの１月２３日の列の「１５：００−１７：００  定例ミーティング」の部分に触れていたものとする。この場合、ステップＳ５４、Ｓ５５によって、図２に示すファイル情報のうち、日時情報が、選択されたイベント情報の時間情報が示す時間の範囲内である「ｉｍａｇｅ０３」、「ｉｍａｇｅ０４」、「ｉｍａｇｅ０５」、「ｉｍａｇｅ０６」、「ｉｍａｇｅ０７」を検索結果として発見することになる。
【００５６】
次に、ステップＳ５２で選択されたイベント情報のうち、ステップＳ５３で選出されていないイベント情報があるか否か判定し（ステップＳ５７）、未選出のイベント情報がある場合（ステップＳ５７：ＹＥＳ）、ステップＳ５３に移行する。
未選出のイベント情報がない場合（ステップＳ５７：ＮＯ）、画像表示プログラムは、ＭＦＰ４に取り込んだ画像の処理方法の選択を促すため、「保存」「送信」「表示」「印刷」「終了」の各ボタンをＧＵＩとしてタッチパネル１５に表示する。そして、従業員Ａは、「保存」「送信」「表示」「印刷」「終了」のいずれかを選択し、タッチパネル１５を介して、画像表示プログラムに通知する（ステップＳ５８）。なお、画像の処理方法は、ユーザが選択することとしたが、これに限らない。例えば、いずれの処理方法を選択するかの設定を予め保持していてもよい。また、予め条件を定めておき、条件に従ってファイル毎に処理方法を切り替えることとしてもよい。
【００５７】
ステップＳ５８で指定された処理方法が保存であった場合（ステップＳ５８：保存）、ＨＤＤ１４の記憶領域に、イベント情報単位毎にフォルダを作成し、作成したフォルダにイベント情報に対応するファイルを記憶する（ステップＳ５９）。この場合のフォルダ名は、イベント情報に係るイベント名情報、時間情報、場所情報を用いて生成するものとする。保存が終了すると、ステップＳ５８に移行する。
【００５８】
ステップＳ５８で指定された処理方法が送信であった場合（ステップＳ５８：送信）、ステップＳ５６で取り込んだ画像を、画像と関連する宛先に送信する（ステップＳ６０）。宛先は、送信先情報として予め定められていてもよいし、スケジュール情報中のイベント情報に予め対応づけておいてもよい。例えば、画像が会議で撮影されたものであったならば、出席者情報で示される会議の出席者を宛先として画像を送信することとしてもよい。また、イベントがチームの会議であった場合には、チームのメンバーや、その上司の宛先をサーバから取得し、送信することで利便性の高いものとなる。送信方法については、ＦＡＸ、Ｅメール、ＦＴＰ（Ｆｉｌｅ  Ｔｒａｎｓｆｅｒ  Ｐｒｏｔｏｃｏｌ）などを用いて行う。送信方法については予め定めていてもよいし、従業員Ａが選択することとしてもよい。また、送信に代えて、ＨＤＤ１４の記憶領域に出席者個々のフォルダを作成し、ファイルを保存することとしてもよい。各出席者は、個々のファイルが保存された後、ＨＤＤ１４から個々のフォルダを読み出して利用することとしてもよい。
【００５９】
ステップＳ５８で指定された処理方法が表示であった場合（ステップＳ５８：表示）、ステップＳ５６で取り込んだ画像を、タッチパネル１５に表示する。表示方法はパネル全体への表示、サムネール表示などユーザ指示に従う。表示した画像は更なるユーザ指示に従い、印刷、保存、削除、送信などの処理を行ってもよい。
ステップＳ５８で指定された処理方法が印刷であった場合（ステップＳ５８：印刷）、ステップＳ５６で取り込んだ画像を印刷する（ステップＳ６２）。印刷は、図８を用いて既に説明したように、ファイル情報等の情報を付加して印刷してもよい。
【００６０】
ステップＳ５８で指定された処理方法が終了であった場合（ステップＳ５８：終了）、処理を終了する。
以上の動作により、撮影機器２内の全てのファイルを１つ１つ確認して、従業員Ａ自身が特定のイベント情報に関連する画像をより分けていくような手間の掛かる操作をすることなく、ＧＵＩに表示されたスケジュール情報から特定のイベント情報を選択するというユーザにとり簡単な操作だけで、選択したイベント情報に関連する画像を撮影機器２からＭＦＰ４に取り込み、印刷等の処理をすることができる。
３．変形例その他
なお、本発明を上記の実施の形態に基づいて説明してきたが、本発明は、上記の実施の形態に限定されるものではなく、本発明の要旨を逸脱しない範囲内において種々変更を加え得ることは勿論である。
【００６１】
（１）上述の実施の形態に係るスケジュール情報は、ユーザ（従業員）の行動予定を示すものには限らない。例えば、行動実績などであってもよく、大量の画像データから、特定の画像データを選別するための条件として用いることができる情報であればよい。
（２）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【００６２】
なお、各装置は、マイクロプロセッサ、ＲＯＭ、ＲＡＭ、ハードディスクユニット、ディスプレイユニット、キーボード、マウスなどの全てを含むコンピュータシステムに限らず、これらの一部から構成されているコンピュータシステムであってもよい。
（３）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００６３】
（４）上記実施の形態及び上記変形例をそれぞれ組み合わせるとしてもよい。
【産業上の利用可能性】
【００６４】
本発明の画像データ処理装置は、大量の画像データから、印刷等処理の対象とする画像データを様々な条件により絞り込んで印刷するシステムに好適であり、当該システムを構成する情報機器として、当該情報機器を取り扱う企業等により製造、販売等が成される。
【符号の説明】
【００６５】
１        画像データ処理システム
２        撮影機器
３        従業員管理サーバ
４        ＭＦＰ
５        ネットワーク
５１      画像プロセス部
５１Ｙ、５１Ｍ、５１Ｃ、５１Ｋ      作像部
５２      給紙部
５３      定着部
５４      光学部
５５      中間転写ベルト
５６      駆動ローラ
６０      制御部
６１Ｙ、６１Ｍ、６１Ｃ、６１Ｋ      感光体ドラム
６２Ｙ、６２Ｍ、６２Ｃ、６２Ｋ      帯電器
６３Ｙ、６３Ｍ、６３Ｃ、６３Ｋ      現像器
６４Ｙ、６４Ｍ、６４Ｃ、６４Ｋ      一次転写ローラ
７１      給紙カセット
７２      繰り出しローラ
７３      搬送路
７４      タイミングローラ対
７５      二次転写ローラ
７６      二次転写位置
７７      排出ローラ対
７８      排出トレイ
【図１】
2010283457.tif 000003
【図２】
2010283457.tif 000004
【図３】
2010283457.tif 000005
【図４】
2010283457.tif 000006
【図５】
2010283457.tif 000007
【図６】
2010283457.tif 000008
【図７】
2010283457.tif 000009
【図８】
2010283457.tif 000010
【図９】
2010283457.tif 000011